(57)【特許請求の範囲】
【請求項１】
開口部に並置された多数のスラットと、各スラットを昇降させる昇降手段とを具備したブラインド装置であって、昇降手段は、各スラットを支えるように、各スラットの両端部に連結されたリンク機構と、走行によりリンク機構の伸縮を行わせるように、リンク機構に連結された走行体と、走行体を走行させる走行装置とを具備しており、走行装置は、走行体に対する走行力を発生する電動モータと、手動引き下げ操作により走行体に対する走行力を発生する手動走行力発生手段と、電動モータと手動走行力発生手段とからの走行力を走行体に伝達する伝達手段と、手動走行力発生手段の非作動時、電動モータの作動による走行体に対する走行力の手動走行力発生手段への伝達を禁止する禁止手段とを具備しており、手動走行力発生手段は、操作可能に垂れ下げられた無端の紐状体と、この紐状体が掛けられた回転自在な回転体とを具備しており、禁止手段は、回動自在に支持されたアームと、このアームに取り付けられたロック部材と、手動走行力発生手段の非作動時にロック部材を回転体に係合させるように、アームを回動させる弾性力を発生するばね手段と、アームに回転自在に取り付けられていると共に紐状体の一方側が掛け回された一方のプーリと、アームに回転自在に取り付けられていると共に紐状体の他方側が掛け回された他方のプーリとを備しており、手動走行力発生手段の作動時に、当該手動走行力発生手段の紐状体の一方側又は他方側の引き下げによって一方又は他方のプーリを介してばね手段の弾性力に抗してアームが回動され、ロック部材の回転体への係合が解除されるようになっており、紐状体の一方側の引き下げに基づく紐状体の一方の方向の走行による回転体の回転により、開口部を閉鎖するように下降されたスラットにおいて、下端のスラットから上昇されるようになっていると共に紐状体の他方側の引き下げに基づく紐状体の他方の方向の走行による回転体の回転により、開口部を開放するように上昇されたスラットにおいて、下端のスラットから下降されるようになっているブラインド装置。
【請求項２】
紐状体は、チェーンからなり、回転体には、チェーンと噛み合う歯が設けられている請求項１に記載のブラインド装置。
【請求項３】
伝達手段は、太陽歯車と、この太陽歯車に噛み合う遊星歯車と、この遊星歯車に噛み合う内歯歯車とを有した遊星歯車機構を具備しており、太陽歯車は、電動モータの出力回転軸に連結されており、内歯歯車は、手動走行力発生手段に連結されており、遊星歯車は、走行体に連結されている請求項１又は２に記載のブラインド装置。
【発明の詳細な説明】
【０００１】
【発明の属する技術分野】
本発明は、建物の窓等の開口部に配されて、当該開口部を開閉するために用いられるブラインド装置に関する。
【０００２】
【発明が解決しようとする課題】
この種のブラインド装置では、一般に、開口部の上部に左右の縦枠を橋絡して回転軸が設けられ、この回転軸の両端にはスプロケットホイールが取り付けられ、各スプロケットホイールには走行体の一つであるチエーンが掛けられ、チエーンには多数のスラットの各端部を支持するリンク機構が連結され、電動モータ等からなる駆動機構の作動により回転軸が回転されると、各スプロケットホイールが回転されてチエーンが走行され、チエーンの走行によりリンク機構を介して多数のスラットが上昇、下降され、而して建物の窓等の開口部を開放、閉鎖するようになっている。
【０００３】
かかる従来のブラインド装置では、閉鎖完了後は、防犯のため、スラットが簡単に持ち上げられて開口部が開放されないように、通常、チエーンは、案内通路に保持されて不撓状態にされており、最下端のスラットを持ち上げても、リンク機構を折り畳めないようになっている。
【０００４】
ところで、チエーン走行による開口部の開放では間に合わず、また、チエーン走行に必要な電力の供給も必ずしも期待し得ないような、例えば火災、地震等の災害において緊急に建物外に脱出したい場合には、上述の通り防犯の観点から開口部が開放されないようになっていると、極めて不都合であり、手動にて容易に迅速に開口部を開放し得るようになっていることが、ブラインド装置に要求される。
【０００５】
そこで本出願人は、先に、スラットに並置された持ち上げ自在な作動棒と、連結手段によるリンク機構の下部へのチェーンの連結を解除するように、作動棒の持ち上げを連結手段に伝達する伝達機構とを有した解除機構付きブラインド装置を提案した。この提案に係るブラインド装置は、防犯機能を劣化させることなしに、緊急時等の必要な際に、閉鎖した開口部を手動により簡単かつ迅速に開放することができ、初期の目的を十分に満足し得るものである。
【０００６】
しかしながら、提案に係るブラインド装置によれば、作動棒の持ち上げが左右均等に行われることを当然の前提としたものであるが、これがなされない場合には、スラット端部の縦枠への噛み付きが生じ、緊急時等の必要な際に、スラットを所定に持ち上げることが困難となる虞がある。
【０００７】
なお、このような不都合な事態は、リンク機構を伸縮させるチェーンの撓みを禁止するようにしたブラインド装置に限って生じるものではなく、開口部を閉鎖するように下降されたスラットにおいて、下端のスラットに手をかけて強制的に手動により所定距離だけそれを上昇させるようになっているものにも、通常、生じ得るのである。
【０００８】
本出願人はまた、上記の不都合を解消し得て、緊急時等の必要な際に、スラット端部の縦枠への噛み付き等の不都合を生じさせることなしに、閉鎖した開口部を手動により簡単かつ迅速に開放することができるブラインド装置を、特願平８ー１６５２１８号において提案した。この提案に係るブラインド装置は、スラットを昇降させる昇降手段が、各スラットを支えるように、各スラットの両端部に連結されたリンク機構と、走行によりリンク機構の伸縮を行わせるように、リンク機構に連結された走行体と、走行体を走行させる走行装置とを具備し、走行装置が、走行体に対する走行力を発生する電動モータと、手動引き下げ操作により走行体に対する走行力を発生する手動走行力発生手段と、電動モータと手動走行力発生手段とからの走行力を走行体に伝達する伝達手段とを具備し、手動走行力発生手段が、紐状体と、この紐状体が掛けられた回転自在な回転体とを具備し、これにより、当該ブラインド装置は、紐状体の走行により、開口部を閉鎖するように下降されたスラットを、下端のスラットから上昇させるようになっているものであって、上記初期の目的を十分に達成しうるものである。
【０００９】
本発明は、前記諸点に鑑みてなされたものであって、その目的とするところは、特願平８ー１６５２１８号において提案したブラインド装置による効果をそのまま得ることができ、加えて、操作性に更に優れたブラインド装置を提供することにある。
【００１０】
本発明の他の目的とするところは、緊急開放後、容易に元の状態に復帰させることができるブラインド装置を提供することにある。
【００１１】
本発明の更に他の目的とするところは、緊急開放以外において、停電又は故障等において、開口部を手動により簡単に開閉することができるブラインド装置を提供することにある。
【００１２】
【課題を解決するための手段】
本発明によれば前記目的は、開口部に並置された多数のスラットと、各スラットを昇降させる昇降手段とを具備したブラインド装置であって、昇降手段は、各スラットを支えるように、各スラットの両端部に連結されたリンク機構と、走行によりリンク機構の伸縮を行わせるように、リンク機構に連結された走行体と、走行体を走行させる走行装置とを具備しており、走行装置は、走行体に対する走行力を発生する電動モータと、手動引き下げ操作により走行体に対する走行力を発生する手動走行力発生手段と、電動モータと手動走行力発生手段とからの走行力を走行体に伝達する伝達手段とを具備しており、手動走行力発生手段は、操作可能に垂れ下げられた無端の紐状体と、この紐状体が掛けられた回転自在な回転体とを具備しており、紐状体の一方の方向の走行による回転体の回転により、開口部を閉鎖するように下降されたスラットにおいて、下端のスラットから上昇されるようになっているブラインド装置によって達成される。
【００１３】
好ましい例では、紐状体は、伸び縮みの少ない強靱なワイヤー又は綿のロープ、チェーン等の可撓性の無端体であればよい。紐状体をチェーンから構成する場合、回転体には、チェーンと噛み合う歯を設けるとよい。
【００１４】
本発明では、紐状体の他方の方向の走行による回転体の回転により、開口部を開放するように上昇されたスラットにおいて、下端のスラットから下降させるようになっていてもよい。
【００１５】
伝達手段は、太陽歯車と、この太陽歯車に噛み合う遊星歯車と、この遊星歯車に噛み合う内歯歯車とを有した遊星歯車機構を具備して構成してもよく、この場合、太陽歯車を電動モータの出力回転軸に連結し、内歯歯車を手動走行力発生手段に連結し、遊星歯車を走行体に連結するとよいが、必ずしもこれに限定されない。
【００１６】
本発明のブラインド装置は、走行力発生手段の非作動時、電動モータの作動による走行体に対する走行力の手動走行力発生手段への伝達を禁止する禁止手段を具備していてもよい。
【００１７】
禁止手段の好ましい例は、回動自在に支持されたアームと、このアームに取り付けられたロック部材と、手動走行力発生手段の非作動時にロック部材を回転体に係合させるように、アームを回動させる弾性力を発生するばね手段とを具備しており、手動走行力発生手段の作動時に、手動走行力発生手段によってばね手段の弾性力に抗してアームが回動され、ロック部材の回転体への係合が解除されるようになっている。ロック部材としては、爪状部材又は外周面に歯が形成された円筒部材（ロックギヤ）等でもよい。
【００１８】
【発明の実施の形態】
次に本発明及びその実施の形態を、図に示す好ましい実施例に基づいて更に詳細に説明する。なお、本発明はこれら実施例に何等限定されないのである。
【００１９】
【実施例】
図１から図１２において、本例のブラインド装置１は、左右の縦枠２及び３並びに上下枠４及び５に囲まれた開口部６に並置された多数のスラット７と、各スラット７を昇降させる昇降手段８と、スラット７を傾動させるチルト機構９とを具備している。左右の縦枠２及び３並びに上下枠４及び５はそれぞれ、例えば、建物の窓の左右の縦框及び上下框に対応して配される。開口部６の上方において、縦枠２及び３等に支持されて目隠し板１０が設けられており、目隠し板１０は、上方に重ね合わされたスラット７の束を覆い隠すようにしている。
【００２０】
昇降手段８は、各スラット７を支えるように、各スラット７の一端部に連結されたリンク機構１１と、走行によりリンク機構１１の伸縮を行わせるように、リンク機構１１に連結された走行体としてのチェーン１２と、チェーン１２を走行させる走行装置１３と、チェーン１２の撓みを阻止する撓み阻止手段１４とを具備している。
【００２１】
リンク機構１１は、第一のリンク機構２１と、リンク機構２１に並置された第二のリンク機構２２と、一端２３が軸２４を介してリンク機構２１に、他端２５が軸２６を介してリンク機構２２にそれぞれ回動自在に連結されてなる複数のスラット支持機構２７とを具備しており、各スラット７は、スラット支持機構２７のそれぞれに支持されている。
【００２２】
リンク機構２１は、軸２４及び軸３１を介して直列に互いに回動自在に連結された複数のリンク部材３２を具備しており、リンク機構２２は、軸２６及び軸３３を介して直列に互いに回動自在に連結された複数のリンク部材３４を具備している。リンク部材３２及び３４には、リンク機構２１及び２２の折り畳み方向を規定する規制片３５が一体的に設けられている。
【００２３】
スラット支持機構２７のそれぞれは、一端２３が、リンク部材３２の互いの回動自在な連結部（軸２４及び軸３１の部位）において、一つ置きの連結部（軸２４の部位）に軸２４を介して回動自在に連結されており、他端２５が、リンク部材３４の互いの回動自在な連結部（軸２６及び軸３３の部位）において、一つ置きの連結部（軸２６の部位）に軸２６を介して回動自在に連結されているアーム４１と、アーム４１のほぼ中央部に一体的に固着されて、水平方向に伸びた取付部４２とを有しており、取付部４２は、縦枠２に形成された上下方向に伸びる案内路４４を通って伸長しており、縦枠２の外側の取付部４２にスラット７が固着されており、こうしてスラット支持機構２７のそれぞれは、案内路４４に案内されて上下動自在であって、スラット７のそれぞれを支持している。
【００２４】
チェーン１２は、一端５１及び他端５２を有して、スプロケットホイール５３に掛けられており、チェーン１２の一端５１は、連結手段５４を介してリンク機構２１及び２２の下部５５に連結されている。連結手段５４は、本例では最下端のスラット支持機構２７を介してチェーン１２の下端５１をリンク機構２１及び２２の下部５５に連結しており、案内路４４に案内されて上下動自在であって、スラット支持機構２７に連結された可動体６１と、一端６２が可動体６１に回動かつ直動自在に連結されており、他端６３がチェーン１２の一端５１にピン６７を介して回動自在に連結されたアーム６４と、チェーン１２の一端５１とアーム６４との間に配されており、一端６５がチェーン１２の一端５１に、他端６６がアーム６４にそれぞれ係止され、中央部がピン６７に巻かれたねじりコイルばね６８からなる弾性手段６９とを具備している。
【００２５】
可動体６１は、スラット支持機構２７の取付部４２が貫通しており、案内路４４に配されて当該案内路４４に案内されて上下動自在な本体７１と、本体７１にピン７２を介して取り付けられた板状の取付部材７３とを具備しており、アーム６４は、一端６２に長孔７４を有しており、長孔７４にピン７５が挿通されていることにより、当該一端６２で可動体６１に回動かつ直動自在に連結されている。ばね６８は、チェーン１２の一端５１に対してアーム６４を、図２において反時計回りに回動させるように、チェーン１２の一端５１に対してアーム６４を弾性的に付勢し、これにより可動体６１を案内路４４に沿って下方に移動させるようにしている。
【００２６】
走行装置１３は、チェーン１２に対する走行力を発生する電動モータ８１と、手動引き下げ操作によりチェーン１２に対する走行力を発生する手動走行力発生手段８２と、電動モータ８１と手動走行力発生手段８２とからの走行力をチェーン１２に伝達する伝達手段８３と、手動走行力発生手段８２の非作動時、電動モータ８１の作動によるチェーン１２に対する走行力の手動走行力発生手段８２への伝達を禁止する禁止手段８４とを具備している。
【００２７】
ブラケット８５等を介して上枠４内において縦枠２の上部に取り付けられた電動モータ８１は、非作動時にはその出力回転軸１１４に自動的に回転制動が掛けられるように、構成されている。したがって、電動モータ８１の非作動時であって開口部６の開放状態において、スラット７等の自重によってスラット７が下降して開口部６が勝手に閉鎖されないようにようになっている。
【００２８】
手動走行力発生手段８２は、無端の紐状体、本例ではチェーン９１と、チェーン９１が掛けられた回転自在な回転体としてのドラム９２とを具備している。手動走行力発生手段８２において、チェーン９１を掴んでこれを一方の方向Ｃ又はこれと逆の他方の方向Ｄに走行させることによりドラム９２を回転させることができるようになっている。したがって、チェーン９１は、開口部６において建物の部屋側から人手により引き下げ操作可能に、当該建物の部屋側に吊されている。ドラム９２は、ドラム本体９３と、ドラム本体９３にねじ９４を介して取り付けられたスプロケットホイール９５と、スプロケットホイール９５に嵌着された歯車９６とを具備しており、スプロケットホイール９５の歯に噛み合うようにして、チエーン９１がドラム９２に掛けられている。
【００２９】
伝達手段８３は、減速歯車機構としても機能する遊星歯車機構１００と、遊星歯車機構１００の出力軸１０１に固着された歯車１０２と、歯車箱１０３内に収容されており、歯車１０２の回転を軸１０４に伝達する歯車機構１０５と、軸１０４に固着されたスプロケットホイール５３とを具備しており、遊星歯車機構１００は、回転自在な入力軸１１０に固着された太陽歯車１１１と、太陽歯車１１１の周りに回転自在に配されて、太陽歯車１１１に噛み合う複数個の遊星歯車１１２と、遊星歯車１１２に噛み合う内歯を有して、回転自在な内歯歯車１１３とを有している。
【００３０】
入力軸１１０は、電動モータ８１の出力回転軸１１４に連結されており、このようにして太陽歯車１１１は、入力軸１１０を介して電動モータ８１の出力回転軸１１４に連結されている。内歯歯車１１３は、手動走行力発生手段８２のドラム９２のドラム本体９３に固着されており、遊星歯車１１２のそれぞれは、軸１２１を介して出力軸１０１のフランジ部１２２及び入力軸１１０が貫通する環状板体１２３にそれ自体回転自在に支持されており、遊星歯車１１２の入力軸１１０の周りでの回転は、出力軸１０１に伝達されるようになっている。このようにして遊星歯車１１２は、出力軸１０１、歯車１０２、歯車機構１０５、軸１０４及びスプロケットホイール５３を介してチェーン１２に連結されている。なお、ドラム９２のドラム本体９３、スプロケットホイール９５及び歯車９６はそれぞれ、ブッシュ軸受１２６、玉軸受１２４及びブッシュ軸受１２７を介して入力軸１１０に相対回転自在に支持されており、出力軸１０１は、玉軸受１２５を介してブラケット８５に回転自在に支持されている。
【００３１】
禁止手段８４は、ブラケット８５に軸１３１を介して回動自在に支持されたアーム１３２と、軸１３３に固着されて当該軸１３３を介してアーム１３２に取り付けられたロック部材としてのロックギヤ１３４と、手動走行力発生手段８２の非作動時にロックギヤ１３４をドラム９２の歯車９６に噛み合い係合させるように、アーム１３２を回動させる弾性力を発生するばね手段１３５と、軸１３３に軸受１４２を介して回転自在に装着されたプーリ１３６と、アーム１３２に取り付けられた他の軸１３７に、軸受１３８を介して回転自在に装着されたプーリ１３９と、ブラケット８５に取り付けられて、アーム１３２の一定以上の回動を阻止するストッパ１４０とを具備している。
【００３２】
軸１３３及び１３７はそれぞれ、その一端でアーム１３２に固着して取り付けられており、ロックギヤ１３４は、歯車９６に噛み合って、歯車９６に係合するようになっており、ばね手段１３５は、一端ではブラケット８５に固着されたピン１４１に、他端ではアーム１３２に固着されたピン１４２にそれぞれ引っ掛けられたコイルばね１４３からなり、プーリ１３９にはチェーン９１の一方側１４４が、プーリ１３６にはチェーン９１の他方側１４５がそれぞれ掛け回されている。禁止手段８４は、手動走行力発生手段２の作動時、すなわち、チエーン９１の一方側１４４又は他方側１４５がＣ又はＤ方向に引き下げられると、プーリ１３９又はプーリ１３６に掛け回されたチエーン９１によってコイルばね１４３の弾性力に抗してアーム１３２が回動され、ロックギヤ１３４の歯車９６への噛み合い係合が解除され、これにより内歯歯車１１３の回転を許容するようになっている。
【００３３】
阻止手段１４は、縦枠２に一体的に形成された一対の案内壁１５１及び１５２と、縦枠２に設けられて、スプロケットホイール５３の周りに配されたチェーン押え１５３とを具備しており、チェーン１２は、一対の案内壁１５１及び１５２間に形成された案内路１５４及び１５５並びにチェーン押え１５３とスプロケットホイール５３との間のチェーン通路１５６を通って走行し、これらの一対の案内壁１５１及び１５２並びにチェーン押え１５３によりその不要な撓みが阻止されている。
【００３４】
チルト機構９は、軸１０４に軸受１６１を介して回転自在に設けられた回転体１６２と、それぞれの一端１６３及び１６４が回転体１６２に、それぞれの他端１６５及び１６６がリンク機構２１及び２２のそれぞれの上端１６７及び１６８にそれぞれ連結された一対の紐状体、例えばチェーン又はワイヤ１６９及び１７０と、チェーン１２の走行を回転体１６２に伝達するクラッチ機構１７１とを具備している。
【００３５】
クラッチ機構１７１は、回転体１６２に軸１８１を介して回動自在に取り付けられた爪部材１８２と、爪部材１８２が係合するように縦枠２に取り付けられた係合ピン１８３と、爪部材１８２に当接して爪部材１８２の係合ピン１８３への係合を解除するように、チェーン１２に設けられた係合突起１８４とを具備しており、爪部材１８２は、係合ピン１８３に係合する凹所１８５を有した爪部１８６と、係合突起１８４に当接する当接部１８７とを一体的に有しており、回転体１６２には、係合突起１８４の当接部１８７への当接のために、係合突起１８４の当接部１８７への接近を許容する切り欠き１８８が形成されている。係合突起１８４の当接部１８７への当接により、爪部材１８２が回動されて爪部１８６の凹所１８５と係合ピン１８３との互いの係合が解除されると、回転体１６２は回転可能となり、したがって、チェーン１２の走行と共に回転体１６２は回転され、係合突起１８４の当接部１８７への当接の解除により、爪部材１８２が回動されて爪部１８６の凹所１８５と係合ピン１８３とが互いに係合されると、回転体１６２は係合ピン１８３を介して縦枠２に固定されて回転不可能となる。
【００３６】
なお、ブラインド装置１では、軸１０４は、縦枠３まで伸ばされて回転自在に支持されており、軸１０４の縦枠３側の端部にも、スプロケットホイール５３及び回転体１６２と同様のものが取り付けられ、加えて、縦枠３内には、当該スプロケットホイールに掛けられたチェーン１２と同様のチェーン、リンク機構１１と同様のリンク機構、チェーンの撓みを阻止する撓み阻止手段１４と同様の阻止手段等が装着されており、したがってスラット７の各々の他端（図示せず）は、上記と同様に図示しないスラット支持機構の各々に支持されている。それ故、スラット７の各々の他端もまた、以下述べるように、軸１０４の回転によりその一端と同期して同様に昇降等されるようになっている。
【００３７】
以上のブラインド装置１では、図９に示すように、リンク機構２１及び２２が伸長された状態では、スラット７は、建物の開口部６を完全に閉鎖するように、ほぼ垂直に傾動されており、図１２に示すように、チェーン１２に設けられた係合突起１８４は、切欠き１８８に配されて爪部材１８２の当接部１８７と当接している。この状態から電動モータ８１が作動されると、その出力回転軸１１４の回転により、入力軸１１０に固着された太陽歯車１１１が回転される。この際、チエーン９１がＣ及びＤ方向のいずれの方向にも下方に引き下げられていないため、ロックギヤ１３４と歯車９６とが相互に噛み合い、内歯歯車１１３が回転されないようになっている。したがって、太陽歯車１１１の回転により、各遊星歯車１１２は自転しつつ入力軸１１０の周りで回転されて、出力軸１０１を回転させる。出力軸１０１の回転で、歯車１０２及び歯車機構１０５を介して軸１０４が回転され、而して、スプロケットホイール５３が回転されてチエーン１２がＡ方向に走行される。
【００３８】
チエーン１２のＡ方向の走行により突起１８４も軸１０４を中心として反時計回りに移動され、突起１８４のこの移動により回転体１６２も、図１１に示すように反時計回りに回動され、回転体１６２の回動により、ワイヤ１６９が上方に引っ張られ、ワイヤ１７０が下方に下げられ、而して、図２に示すように、リンク機構２２に対してリンク機構２１が相対的に上方に持ち上げられて、アーム４１のそれぞれがほぼ水平に回動され、これによりスラット７のそれぞれもほぼ水平に回動されて簾状にされる。
【００３９】
更にチエーン１２がＡ方向に走行されると、突起１８４が切欠き１８８から抜け始め、突起１８４の切欠き１８８からの抜けにより、突起１８４が次には爪部１８６に当接して爪部材１８２を軸１８１を中心として回動させ、爪部１８６の凹所１８５と係合ピン１８３とを互いに係合させる。図１０に示すように、爪部１８６の凹所１８５が係合ピン１８３に係合することにより、回転体１６２の回転は阻止されて、その状態に保持される。チエーン１２のＡ方向の走行が続行されることにより、連結手段５４によりチエーン１２に下部で連結されたリンク機構２１及び２２が折り畳まれ始め、この折り畳みにより、リンク機構２１及び２２にスラット支持機構２７を介して取り付けられたスラット７が下方から順次重ね合わされる。スラット７が全て重ね合わされると、検出器等からの信号により電動モータ８１の作動が停止されて、開口部６が完全開放された状態が維持される。
【００４０】
開口部６が完全開放された状態又は開口部の途中開放状態で、電動モータ８１が前記と逆に作動されると、チエーン１２がＢ方向に走行され、これによりリンク機構２１及び２２は上方より伸長され始め、スラット７の束は上方のスラット７よりその重ね合わせが解除され始める。リンク機構２１及び２２が全て伸長されてスラット７もまたその重ね合わせが全て解除されると、図１０に示すように、突起１８４が切欠き１８８に挿入され始め、この挿入により図１１に示すように、突起１８４が爪部材１８２の当接部１８７に当接して爪部材１８２を回動させて、凹所１８５の係合ピン１８３への係合を解除し、この解除により突起１８４の移動と共に回転体１６２は、図１２に示すように前記と逆に時計回りに回転され、ワイヤ１７０が上方に引っ張られ、ワイヤ１６９が下方に下げられ、これによりリンク機構２１及び２２に相対的変位が生じて、リンク機構２１及び２２にスラット支持機構２７を介して取り付けられたスラット７は逆に傾動され、この傾動により一端簾状にされた後に、図９に示すように開口部６を完全に閉鎖するようになる。その後、検出器等からの信号により電動モータ８１の作動が停止され、開口部が完全閉鎖された状態が維持される。
【００４１】
そしてブラインド装置１では、開口部６が完全閉鎖された後において、直ちに電動モータ８１の作動が停止されず、チエーン１２が若干Ｂ方向に更に走行されても、チェーン１２の一端５１に他端６３で回動自在に連結されたアーム６４自体がばね６８の弾性力に抗してピン７５を中心として回動しかつその一端６２で可動体６１に対して直動して、可動体６１の更なる下方移動を生じさせないようになっているため、全て伸長されたリンク機構２１及び２２が更に伸長されたり、完全閉鎖状態にされたスラット７が更に傾動されたりするような、不都合が生じなく、リンク機構２１及び２２並びにスラット７の損傷を回避し得、また、図９に示す状態で可動体６１の更なる下方移動を禁止する禁止機構が設けられている場合に限らず、一対の案内壁１５１及び１５２を損傷に至らしめるようなチェーン１２の無理な撓みを生じなくし得る。
【００４２】
以上は通常の開口部６の開閉動作であるが、火災等の緊急時の開口部６の開放は、先ず、チエーン９１の一方側１４４を掴んでチエーン９１を下方に引き下げ、これをＣ方向に走行させることにより行う。チエーン９１を下方に引き下げることにより、プーリ１３９を介してアーム１３２が軸１３１の周りで回動されて、ロックギヤ１３４と歯車９６との相互の噛み合いが解除され、これにより内歯歯車１１３が回転できるようになる。更に、チェーン９１を下方に引き下げて、Ｃ方向に走行させることにより、ドラム９２が回転され、この回転は内歯歯車１１３に伝達されて、これにより内歯歯車１１３が回転される。この際、電動モータ８１は非作動中であるため、その出力回転軸１１４は回転しないように制動されている。
【００４３】
したがって、内歯歯車１１３の回転により、各遊星歯車１１２は自転しつつ入力軸１１０の周りで回転されて、出力軸１０１を回転させる。出力軸１０１の回転で、歯車１０２及び歯車機構１０５を介して軸１０４が回転され、而して、スプロケットホイール５３が回転されてチェーン１２がＡ方向に走行される。チェーン９１の一定量のＣ方向の走行により、開口部６を閉鎖するように下降されたスラット７において、下端のスラット７からの少なくとも所定枚数が少なくとも所定距離、例えば人が通過し得る程度の６５０ｍｍ程度上昇される。そして、この開放後、チェーン９１を放しても、ロックギヤ１３４と歯車９６とが再び相互に噛み合って、内歯歯車１１３が回転できなくなり、人が通過し得る程度の開放状態が維持される。
【００４４】
このようにブラインド装置１では、チェーン９１の一気のＣ方向の走行で、スラット７の両端を同期的に引き上げて、開口部６を一定量開放することができるため、火災等において、確実に緊急脱出することができる。
【００４５】
なお、緊急開放後に、元の状態に復帰させるには、チエーン９１の他方側１４５を掴んでチエーン９１を下方に引き下げ、これをＤ方向に走行させることにより行う。チエーン９１をＤ方向に走行させることにより、プーリ１３６を介してアーム１３２が軸１３１の周りで回動されて、ロックギヤ１３４と歯車９６との相互の噛み合いが解除され、これにより内歯歯車１１３が回転できるようになる。更に、チェーン９１を下方に引き下げて、Ｄ方向に走行させることにより、ドラム９２が回転され、この回転は内歯歯車１１３に伝達されて、これにより内歯歯車１１３が回転される。内歯歯車１１３の回転により、各遊星歯車１１２は自転しつつ入力軸１１０の周りで回転されて、出力軸１０１を回転させる。出力軸１０１の回転で、歯車１０２及び歯車機構１０５を介して軸１０４が回転され、而して、スプロケットホイール５３が回転されてチェーン１２がＢ方向に走行される。チェーン９１の一定量のＤ方向の走行により、開口部６を一部開放するように上昇されたスラット７が下降され、元の状態に復帰される。この復帰後、チェーン９１から手を放すと、ロックギヤ１３４と歯車９６とが再び相互に噛み合って、内歯歯車１１３が回転できなくなる。
【００４６】
【発明の効果】
以上のように本発明によれば、緊急時等の必要な際に、スラット端部の縦枠への噛み付き等の不都合を生じさせることなしに、閉鎖した開口部を手動により簡単かつ迅速に開放することができ、また、緊急開放後、容易に元の状態に復帰させることができ、更に、緊急開放以外において、停電又は故障等において、開口部を手動により簡単に開閉することができる。その上、本発明によれば、手動走行力発生手段が、操作可能に垂れ下げられた無端の紐状体と、この紐状体が掛けられた回転自在な回転体とを具備してなるため、操作性に優れたブラインド装置を提供し得る。
【図面の簡単な説明】
【図１】本発明の好ましい一実施例の斜視図である。
【図２】図１に示す実施例の側面説明図である。
【図３】図１に示す実施例の背面一部説明図である。
【図４】図１に示す実施例の縦枠の平面説明図である。
【図５】図１に示す実施例の弾性手段の詳細説明図である。
【図６】図１に示す実施例の伝達手段等の詳細正面説明図である。
【図７】図６に示す伝達手段等の詳細底面説明図である。
【図８】図６に示す伝達手段等の詳細側面断面説明図である。
【図９】図１に示す一実施例の動作説明図である。
【図１０】図１に示す一実施例の動作説明図である。
【図１１】図１に示す一実施例の動作説明図である。
【図１２】図１に示す一実施例の動作説明図である。
【符号の説明】
１  ブラインド装置
６  開口部
７  スラット
８  昇降手段
１１  リンク機構
１２  チェーン
１３  走行装置
８１  電動モータ
８２  手動走行力発生手段
８３  伝達手段
９１  チェーン
９２  ドラム
【図１】
0003629838.tif 000002
【図２】
0003629838.tif 000003
【図３】
0003629838.tif 000004
【図４】
0003629838.tif 000005
【図５】
0003629838.tif 000006
【図６】
0003629838.tif 000007
【図７】
0003629838.tif 000008
【図８】
0003629838.tif 000009
【図９】
0003629838.tif 000010
【図１０】
0003629838.tif 000011
【図１１】
0003629838.tif 000012
【図１２】
0003629838.tif 000013